(57)【要約】【課題】            洗髪やパーマ等にタオルを使用する際に、作業者が余計な動作をせずにまた作業者の負担を軽減できるような状態でタオルが使用できるような理美容用タオル収納ワゴンを提供する。【解決手段】        タオルＡが収納される箱体内１に上下にスライドするスライド板２を設け、該箱体１の４つの側面の少なくとも２つの側面の中央部縦方向に設けられるガイト溝１ｂ、１ｂ’と、前記スライド板２に設けられ該ガイド溝１ｂ、１ｂ’をスライドするスライド片２ｂ、２ｂ’と、箱体１の外側上方に設けられる固定片１ａ、１ａ’とを設けるとともに、一端が固定片１ａ、１ａ’に取り付けられ、他端がスライド片１ｂ、１ｂ’に張設されるスプリング３、３’を設けることにより前記スライド板２を上方に付勢するようにしてタオルを取り出し易いようにした。【選択図】          図１
2006061487.tif 000002
【特許請求の範囲】
【請求項１】
タオルが載置されかつ箱体内で上下にスライドするスライド板と、該箱体の４つの側面のすくなくとも２つ以上の側面の中央部縦方向に設けられるガイト溝と、前記スライド板に設けられ該ガイド溝をスライドするスライド片と、箱体外側上方に設けられる固定片とを設けるとともに、一端が固定片に取り付けられ、他端がスライド片に張設されるスプリングを設けることにより前記スライド板を上方に付勢することを特徴とする理美容用タオル収納ワゴン。
【請求項２】
前記箱体の内側上部にロッドが設けられるとともに、該ロッドを下方へ付勢することによりタオルを押さえるようにしたことを特徴とする請求項１に記載の理美容用タオル収納ワゴン。
【請求項３】
前記ロッドにタオルを取り出し易くするためのローラーを設けたことを特徴とする請求項２に記載の理美容用タオル収納ワゴン。
【請求項４】
前記箱体を覆う外箱体を設けるとともに、該外箱体の最下部にキャスターを設け移動自在にしたことを特徴とする請求項１に記載の理美容用タオル収納ワゴン。
【発明の詳細な説明】
【技術分野】
【０００１】
本発明は、理美容院等で洗髪やパーマ等の施術の際に使用するタオルを収納するワゴンに関する。
【背景技術】
【０００２】
従来における理美容院等での洗髪やパーマ時に使用するタオルは、提示した特許文献の特開２００２−６５３５８号に開示されているように、洗髪やパーマ等の作業を行う作業室に収納キャビネット等を設置して、該収納キャビネット内にタオルを収納しておき、必要に応じて前記タオルが収納されるキャビネット内のタオルをタオル収納部の下方部に設けられる取出口からタオルを取り出して使用している。
【０００３】
特にタオル収納部はキャビネットの上方部に設けられて、下から引き出して使用するケースがほとんどであります。
また前記した洗髪やパーマ等を専用に行う作業室ではなく、洗髪やパーマ等を行う場所が理美容室内の中央部に配置させているアイランドタイプの洗髪装置が設置されている場合などは、洗髪やパーマなどの作業位置から前記したキャビネットの設置されている位置までタオル等を取りに行って作業を行っている。
【０００４】
【特許文献１】特開２００２−６５３５８号
【発明の開示】
【発明が解決しようとする課題】
【０００５】
ところで、前記した理美容室内での洗髪やパーマ時などのタオル使用にあっては、洗髪やパーマ等を行う作業室が設けられている理美容室では壁面にタオル等を収納するキャビネットなどが設置できるようになっているが、前記したように洗髪やパーマ等を行う場所が理美容室内の中央部にアイランドタイプの洗髪装置が設置されている場合などは、洗髪やパーマなどの作業位置から前記したキャビネットの設置されている位置までタオル等を取りに行って作業を行っていたが、タオルを何枚も使用しなければならない場合などは、アイランドタイプの洗髪装置の近傍にタオルを置く場所はないため、何回もキャビネット位置までタオルを取りに行かなければならないという問題があった。
これは作業者にとっては余計で且つ無駄な動作をしなければならず、作業者にとって煩わしさを強いられているという課題があった。
【０００６】
本発明は前記した問題を解決せんとするもので、その目的とするところは、アイランドタイプの洗髪装置を使用している理美容室では、洗髪やパーマ等を行う位置からタオルが収納されているキャビネットまでいちいち移動して取りに行かなくてもよいようにし、作業者の余計な動作をさせずに作業者の負担を軽減する理美容用タオル収納ワゴンを提供せんとするにある。
【課題を解決するための手段】
【０００７】
本発明の理美容用タオル収納ワゴンは、前記目的を達成せんとするもので、請求項１の手段は、タオルが載置されかつ箱体内で上下にスライドするスライド板と、該箱体の４つの側面のすくなくとも２つ以上の側面の中央部縦方向に設けられるガイト溝と、前記スライド板に設けられ該ガイド溝をスライドするスライド片と、箱体外側上方に設けられる固定片とを設けるとともに、一端が固定片に取り付けられ、他端がスライド片に張設されるスプリングを設けることにより前記スライド板を上方に付勢することを特徴とする理美容用タオル収納ワゴン。
【０００８】
請求項２の手段は、前記した請求項１において、前記箱体の内側上部にロッドが設けられるとともに、該ロッドを下方へ付勢することにより、タオルを押さえるようにしたことを特徴とする。
【０００９】
請求項３の手段は、前記した請求項２において、前記ロッドにタオルを取り出し易くするためのローラーを設けたことを特徴とする。
【００１０】
請求項４の手段は、前記した請求項１において、前記箱体を覆う外箱体を設けるとともに、該外箱体の最下部にキャスターを設け移動自在にしたことを特徴とする。
【発明の効果】
【００１１】
本発明の理美容用タオル収納ワゴンを使用することによって、アイランドタイプの洗髪装置を使用している理美容室では、洗髪やパーマ等を行う位置にタオルが収納されたワゴンを移動して洗髪やパーマ等を行う際にタオルを簡易に取り出すことができ、作業位置で必要な時に必要な枚数使用できる。
【００１２】
従って、作業位置からタオルが収納されているキャビネットまでいちいち移動して取りに行かなくてもよく、作業者の余計な動作をさせずに作業者の負担を軽減することができる。
【発明を実施するための最良の形態】
【００１３】
本発明は、複数枚のタオルが収納されるスライド板が設けられる箱体を設け、前記タオルが収納される箱体のスライド板をスプリング等で常に上方に付勢しておくことによって容易にタオルが取り出せるようにしかつ移動自在とした理美容用タオル収納ワゴンである。
【実施例１】
【００１４】
以下、本発明に係る理美容用タオル収納ワゴンの一実施例を図面とともに説明する。
【００１５】
図１はタオルが満杯に収納された状態を示す図面であり、図２は収納されるタオルが少なくなった状態を示す図面であり、図３はタオルを押さえるロッド部の拡大図であり、図４は本発明の全体を示す斜視図である。
【００１６】
Ａは収納されるタオルである。１は箱体であり、該箱体には箱体外側上部に固定片１ａ、１ａ’が取付けられ、箱体の４つの側面のすくなくとも２つの側面の中央部縦方向にガイド溝１ｂ、１ｂ’が設けられている。
該ガイド溝は、本実施例の図面では４つの側面に配置された形態で開示されているが、実施の説明は２つの側面にガイド溝が設けられている形態で説明する。
【００１７】
２は箱体１内をスライドするスライド板であり、前記ガイド溝１ｂ、１ｂ’をスライドするスライド片２ａ、２ａ’が設けられている。
３、３’は一端が前記箱体１に設けられる固定片１ａ、１ａ’に取付けられ、他端がスライド板２に設けられるスライド片２ａ、２ａ’に取付けられるスプリングであり、上方向に付勢されるように取付けられている。
【００１８】
４、４’は箱体１の上方内面側に取付けられるロッドであり、５、５’は前記ロッド４および４’に設けられるローラーであり、ロッド４、４’に対して回動自在に設けられている。
６および６’はスプリングであり、該ロッド４および４’を下方向に付勢するように設けられている。
【００１９】
７は外箱体であり、箱体１を覆うように設けられており、外箱体と箱体との間に空間を設けており、該空間内にスプリング３および３’が上下するように構成されている。
８はカバーであり、９は理美容用タオル収納ワゴンを移動自在にするためのキャスターである。
なおガイド溝１ｂ”は、４辺にガイド溝が設けられた形態の符号である。
【００２０】
以上の構成から、アイランドタイプの洗髪装置で洗髪やパーマ等の施術を行う際に、洗髪装置が位置する作業位置まで本発明のワゴンを移動させ、洗髪およびパーマ時にタオルを使用する場合は、上方からタオルを引き出すことによりタオルを使用でき、ローラー５および５’によりスムースに引き出すことができる。
【００２１】
タオルが引き出されると同時に、収納されるタオルはスプリング２ａおよび２ａ’によりスライド板２が上方向に付勢されているため、タオル全体を上方に押すようになっている。
さらにはタオルが上方に押された状態で、最上部のタオルはスプリング６および６’により下方向に付勢されるロッド４および４’とローラー５および５’で押さえられるようになっているため、安定した収納状態が維持され、かつタオルを使用する時には、タオルを順次使用できかつ容易に引き出せるようになっている。
【図面の簡単な説明】
【００２２】
【図１】本発明に係る理美容用タオル収納ワゴンのタオルが満杯に収納された状態を示す断面図である。
【図２】本発明に係る理美容用タオル収納ワゴンの収納されるタオルが少なくなった状態を示す断面図である。
【図３】本発明に係る理美容用タオル収納ワゴンのタオルを押さえるロッド部の状態を示す拡大断面図である。
【図４】本発明に係る理美容用タオル収納ワゴンの全体を示す斜視図である。
【符号の説明】
【００２３】
１          箱体
１ａ、１ａ’固定片
１ｂ、１ｂ’ガイド溝
２          スライド板
２ａ、２ａ’スライド片
３、３’    スプリング
４、４’    ロッド
５、５’    ローラー
６、６’    スプリング
７          外箱体
８          カバー
９          キャスター
【図１】
2006061487.tif 000003
【図２】
2006061487.tif 000004
【図３】
2006061487.tif 000005
【図４】
2006061487.tif 000006